(57)【要約】【課題】本発明は歪みの小さなラウドスピーカを提供することが目的である。【解決手段】本発明は、この課題を解決するために、第１凹部４１が箱体２２に形成されている。第１凹部４１は、底部４１Ａと、第１内壁面４１Ｂと、第２内壁面４１Ｃと、貫通孔４１Ｄを含んでいる。第１内壁面４１Ｂは、底部４１Ａの周縁部に立って形成されている。第２内壁面４１Ｃは、第１内壁面４１Ｂに対向して設けられている。貫通孔４１Ｄは、底部４１Ａから第２内壁面４１Ｃまで延びて形成されている。そして、ケーブル２４は、貫通孔４１Ｄを貫通して、箱体２２内から箱体２２の外部へと引き出されている。さらに、第１封止樹脂２５は、第１凹部４１に充填された樹脂によって形成されて、貫通孔４１Ｄを覆っている構成である。そしてこの構成により、ケーブル２４と貫通孔４１Ｄとの間の隙間を小さくでき、第１封止樹脂２５で貫通孔４１Ｄを覆うことができる。【選択図】図７Ａ
2016208284.tif 000002
【特許請求の範囲】
【請求項１】
底部と、前記底部の周縁部に立って形成された第１内壁面と、前記第１内壁面に対向して設けられた第２内壁面と、前記底部から前記第２壁面まで延びて形成された貫通孔と、を有した第１凹部が形成された箱体と、
前記箱体内に収納されたスピーカユニットと、
前記スピーカユニットと電気的に接続されるように前記箱体内に配置された第１端部と、前記箱体の外に配置された第２端部とを有し、前記貫通孔を貫通して、前記箱体内から前記箱体の外部へと引き出されたケーブルと、
前記第１凹部に充填されて、前記貫通孔を覆うように設けられた第１封止部と、
を備えた、ラウドスピーカ。
【請求項２】
前記貫通孔は、食い切り孔である、
請求項１に記載のラウドスピーカ。
【請求項３】
前記ケーブルは、柔軟性を有した平板状のフレキシブル基板あるいはフラットケーブルである、
請求項１に記載のラウドスピーカ。
【請求項４】
前記ケーブルは、前記第２内壁面に当接した第１面と、前記第１面の反対であり、前記底部における前記貫通孔の側面に当接した第２面と、を有した、
請求項３に記載のラウドスピーカ。
【請求項５】
前記ケーブルは、前記第２内壁面に沿って配置された第１面と、前記第１面の反対であり、前記底部における前記貫通孔の側面に沿って配置された第２面と、を有した、
請求項１に記載のラウドスピーカ。
【請求項６】
前記凹部は、前記箱体の外面、あるいは内面のいずれか一方に形成された、
請求項１に記載のラウドスピーカ。
【請求項７】
前記ケーブルと前記箱体の内面もしくは外面の間の少なくとも一方に設けられた粘着層または接着層を、さらに備えた、
請求項１に記載のラウドスピーカ。
【請求項８】
前記箱体は、前記第１凹部の反対に設けられ、前記底部における前記貫通孔の側面に対向して形成された第３内壁面と、前記第３内壁面の端部と前記第２内壁面との間に形成された第２底部と、を有した第２凹部をさらに有し、
前記第２凹部に充填されて、前記貫通孔を覆うように設けられた第２封止樹脂を、さらに備えた、
請求項１に記載のラウドスピーカ。
【請求項９】
前記ケーブルは、前記第１端部もしくは前記第２端部の少なくとも一方に形成された係止部を有し、
前記箱体は、前記係止部に係合された位置決め部を有した、
請求項１に記載のラウドスピーカ。
【請求項１０】
前記箱体は、前記ラウドスピーカが装着された前面部を有する前面ケースと、前記前面部の反対の背面部を含む背面ケースと、前記箱体の側面に設けられて前記前面ケースと前記背面ケースとが接合された溶着部とを含み、
前記第１凹部は、前記前面もしくは前記背面に設けられた、
請求項１に記載のラウドスピーカ。
【発明の詳細な説明】
【技術分野】
【０００１】
本発明は、箱体内にスピーカユニットが収納されたラウドスピーカに関する。
【背景技術】
【０００２】
以下、従来のラウドスピーカについて説明する。従来のラウドスピーカは、中空の箱体と、スピーカユニットと、ケーブルとを含んでいる。スピーカユニットは、箱体内に収納されている。箱体は、上ケースと、下ケースによって構成されている。なお、上ケースと下ケースとの接続部の一部に隙間が形成されている。ケーブルは、第１端部と、第２端部を含んでいる。第１端部は、箱体の中に配置されて、スピーカユニットと電気的に接続されている。一方、第２端は、箱体の外に配置されている。なお、ケーブルは隙間を通って、箱体の内部から箱体の外部へと引き出されている。そして、隙間に封止樹脂が充填されている。
【０００３】
なお、この出願の発明に関連する先行技術文献情報としては、例えば、特許文献１が知られている。
【先行技術文献】
【特許文献】
【０００４】
【特許文献１】中国実用新案第２０３６１８１２１号明細書
【発明の概要】
【発明が解決しようとする課題】
【０００５】
しかしながら従来のラウドスピーカにおいて、封止樹脂が隙間内に留まらずに、箱体の内部へと侵入する。この場合、隙間の一部が封止樹脂で覆われずに、露出する可能性を有している。すなわち、箱体内の空間が、密封されていない状態となる。その結果、隙間において封止樹脂で塞がれていない箇所を空気が通過する。したがって、この空気の通過による、ラウドスピーカから出力される音の歪みが増加するという課題を有している。
【０００６】
そこで本発明は、この問題を解決したもので、ラウドスピーカから出力される音の歪みを低減することが、目的である。
【課題を解決するための手段】
【０００７】
この目的を達成するために、ラウドスピーカは、箱体と、スピーカユニットと、ケーブルと、第１封止部とを含んでいる。スピーカユニットは、箱体内に収納されている。箱体に、第１凹部が形成されている。なお、第１凹部は、底部と、第１内壁面と、第２内壁面と、貫通孔を含んでいる。第１内壁面は、底部の周縁部に立って形成されている。第２内壁面は、第１内壁面に対向して設けられている。ケーブルは、第１端部と、第２端部を含んでいる。第１端部は、箱体内に配置されており、スピーカユニットと電気的に接続されている。一方、第２端部は、箱体の外に配置されている。
【０００８】
以上の構成において、貫通孔は、底面から第２壁面まで延びて形成されている。そして、ケーブルは、貫通孔を貫通して、箱体内から前記箱体の外部へと引き出されている。さらに、第１封止部が、第１凹部に充填されて、貫通孔を覆っている構成である。この構成によって、所期の目的を達成することができる。
【発明の効果】
【０００９】
以上のように本発明によれば、貫通孔は底面から第２壁面まで延びて形成されている。すなわち、貫通孔は食いきり孔である。この構成により、ケーブルと貫通孔との間の隙間を小さくできる。したがって、第１封止部で貫通孔を覆うことができるので、箱体内の空気が貫通孔内を通過することを抑制できる。その結果、ラウドスピーカから出力される音の歪みを低減できる。
【図面の簡単な説明】
【００１０】
【図１】本発明の実施の形態におけるラウドスピーカの斜視図
【図２】本発明の実施の形態におけるラウドスピーカの上面図
【図３】本発明の実施の形態におけるラウドスピーカの背面図
【図４】本発明の実施の形態におけるラウドスピーカの側面図
【図５】本発明の実施の形態におけるラウドスピーカの断面図
【図６】本発明の実施の形態におけるラウドスピーカの断面図
【図７Ａ】本発明の実施の形態におけるラウドスピーカの要部拡大断面図
【図７Ｂ】本発明の実施の形態におけるラウドスピーカの要部拡大断面図
【図７Ｃ】本発明の実施の形態におけるラウドスピーカの要部拡大断面図
【図８】本発明の実施の形態におけるラウドスピーカの要部拡大図
【発明を実施するための形態】
【００１１】
本実施の形態の説明に先立って、ラウドスピーカに対して求められる要求について説明する。ラウドスピーカは、たとえばタブレット端末や、スマートホンに代表されるような携帯型電子機器に搭載されている。近年、携帯型電子機器に搭載されている液晶などの表示器のサイズは大きくなってきている。また、映像信号のデジタル化により、映像の解像度なども向上している。したがって、携帯型電子機器の使用者は、携帯型電子機器で美しくかつ、迫力ある映像を視聴できる。したがって、使用者は、携帯型電子機器でも臨場感あふれる動画を視聴したいという要求が出てきている。そこで、その欲求に対応するため、このような携帯型電子機器に搭載されるラウドスピーカに対しても、歪みが小さく、綺麗な音を再生できることを要求されている。
【００１２】
以下本実施の形態におけるラウドスピーカについて説明する。
【００１３】
（実施の形態１）
以下本実施の形態におけるラウドスピーカ２１について図面を用いて説明する。図１は、ラウドスピーカ２１の斜視図である。図２は、ラウドスピーカ２１の上面図である。図３は、ラウドスピーカ２１の背面図である。図４は、ラウドスピーカ２１の側面図である。図５および図６は、ラウドスピーカ２１の断面図である。なお、図５は、ラウドスピーカ２１を図３の断面線５−５で切断した状態を示している。また、図６は、ラウドスピーカ２１を図３の断面線６−６で切断した状態を示している。
【００１４】
ラウドスピーカ２１は、箱体２２と、スピーカユニット２３と、ケーブル２４と、第１封止樹脂２５とを含んでいる。スピーカユニット２３は、箱体２２内に収納されている。箱体２２に、第１凹部４１が形成されている。ケーブル２４は、第１端部２４Ａと、第２端部２４Ｂを含んでいる。第１端部２４Ａは、箱体２２内に配置されている。そして、ケーブル２４は、第１端部２４Ａでスピーカユニット２３と電気的に接続されている。一方、第２端部２４Ｂは、箱体２２の外に配置されている。
【００１５】
図７Ａと図７Ｂと図７Ｃは、ラウドスピーカ２１において第１凹部４１を拡大した断面図である。図８は、ラウドスピーカ２１における第１凹部４１の拡大図である。なお、図７Ａは、第１凹部４１へケーブル２４が挿入された状態を示している。また、図７Ｂは、第１凹部４１へケーブル２４が挿入されていない状態を示している。さらに、図７Ｃは、図７Ａは、第１凹部４１へケーブル２４が挿入され、かつ第１封止樹脂２５、第２封止樹脂２６が充填された状態を示している。第１凹部４１は、底部４１Ａと、第１内壁面４１Ｂと、第２内壁面４１Ｃと、貫通孔４１Ｄを含んでいる。第１内壁面４１Ｂは、底部４１Ａの周縁部に立って形成されている。第２内壁面４１Ｃは、第１内壁面４１Ｂに対向して設けられている。
【００１６】
貫通孔４１Ｄは、底部４１Ａから第２内壁面４１Ｃまで延びて形成されている。そして、ケーブル２４は、貫通孔４１Ｄを貫通して、箱体２２内から箱体２２の外部へと引き出されている。さらに、第１封止樹脂２５は、第１凹部４１に充填された樹脂によって形成されて、貫通孔４１Ｄを覆っている。
【００１７】
以上のような構成により、貫通孔４１Ｄは食いきり孔によって形成できるので、ケーブル２４と貫通孔４１Ｄとの間の隙間を小さくできる。したがって、第１封止樹脂２５で貫通孔４１Ｄを覆うことができるので、箱体２２内の空気が貫通孔４１Ｄ内を通過することを抑制できる。その結果、ラウドスピーカ２１から出力される音の歪みを低減できる。
【００１８】
以下、本実施の形態のラウドスピーカ２１についてさらに詳しく説明する。図５に示すように箱体２２は、前面ケース２２Ａと、背面ケース２２Ｂと、溶着部２２Ｃとを含んでいる。また、箱体２２は、前面部２２Ｄと背面部２２Ｅと側面２２Ｆを含んでいる。箱体２２において、背面部２２Ｅは前面部２２Ｄの反対に形成されている。そして、前面ケース２２Ａは、前面部２２Ｄを含んでいる。また、前面ケース２２Ａは、放音孔２２Ｇを含んでいる。一方、背面ケース２２Ｂは、背面部２２Ｅを含んでいる。放音孔２２Ｇは、スピーカユニット２３から出力された音を放音できる。そのために、ラウドスピーカ２１は、前面部２２Ｄに装着されている。
【００１９】
箱体２２は、溶着部２２Ｃを含んでいる。前面ケース２２Ａと背面ケース２２Ｂとは、溶着部２２Ｃによって接合されている。前面ケース２２Ａと背面ケース２２Ｂは、たとえば超音波溶着によって接合できる。なお、前面ケース２２Ａと背面ケース２２Ｂは、超音波溶着によって接合する構成に限られず、熱溶着など各種の溶着法によって接合しても構わない。また、溶着部２２Ｃは、側面２２Ｆに設けられている。
【００２０】
以上の構成において、第１凹部４１は、前面部２２Ｄもしくは背面部２２Ｅに設けることがこのましい。この構成により、ケーブル２４の基材や、絶縁皮膜、さらには第１封止樹脂２５に熱可塑性の材料を用いたとしても、溶着による熱でケーブル２４の基材や、絶縁皮膜あるいは第１封止樹脂２５が溶けることを抑制できる。したがって、貫通孔４１Ｄが、第１封止樹脂２５から露出することを抑制できる。
【００２１】
スピーカユニット２３は、いわゆるマイクロスピーカである。スピーカユニット２３の前面は、前面部２２Ｄに当接している。一方、スピーカユニット２３は、背面部２２Ｅと対向する側に、端子２３Ａを含んでいる。そして、スピーカユニット２３は、端子２３Ａを介してケーブル２４と電気的に接続されている。なお、端子２３Ａは、弾性体であることが好ましい。この構成により、端子２３Ａは、ケーブル２４に押し付けられて、接触している。さらに、スピーカユニット２３の前面は、前面部２２Ｄの内面へ押し付けられている。
【００２２】
この場合、ケーブル２４は、柔軟性を有した平板状であることが好ましい。ケーブル２４は、たとえばフレキシブル基板あるいはフラットケーブルを用いることができる。
【００２３】
図７Ｂに示すように、箱体２２は、第２凹部５１を含むことが好ましい。第２凹部５１は、第１凹部４１の反対に設けられている。たとえば第１凹部４１を箱体２２の外面に形成した場合、第２凹部５１は、箱体２２の内面に形成されている。なお、第１凹部４１は、箱体２２の外面に形成した構成に限られず、箱体２２の内面に形成しても良い。ただしこの場合、第２凹部５１は、箱体２２の外面に形成する。
【００２４】
第２凹部５１は、第３内壁面５１Ａと、第２底部を含んでいる。第３内壁面５１Ａは、底部４１Ａにおける貫通孔４１Ｄの側面４１Ｅに対向して形成されている。第２底部５１Ｂは、第３内壁面５１Ａの端部と第２内壁面４１Ｃとの間を連結するように形成されている。そして、第２封止樹脂２６は、第２凹部５１に充填されている。また、第２封止樹脂２６は、貫通孔４１Ｄを覆っている。この構成により、貫通孔４１Ｄを挟んで第１凹部４１側と、第２凹部５１側を共に封止できる。したがって、したがって、第１封止樹脂２５と第２封止樹脂２６で貫通孔４１Ｄを覆うことができるので、箱体２２内の空気が貫通孔４１Ｄ内を通過することをさらに抑制できる。
【００２５】
ケーブル２４は、第１面２４Ｃと第２面２４Ｄを含んでいる。なお、第２面２４Ｄは、第１面２４Ｃの反対に形成されている。そして、第１面２４Ｃは、第２内壁面４１Ｃに沿って配置されていることが好ましい。この構成により、第１面２４Ｃと第２内壁面４１Ｃとの間の隙間を小さくできる。したがって、第１面２４Ｃと第２内壁面４１Ｃとの間を空気が通過することを抑制できる。また、第２面２４Ｄは、底部４１Ａにおける貫通孔４１Ｄの側面４１Ｅに沿って配置されていることが好ましい。この構成により、第２面２４Ｄと側面４１Ｅとの間の隙間を小さくできる。また、第１封止樹脂２５が、貫通孔４１Ｄをから箱体２２の内部に流れ込むことを抑制できる。したがって、第１面２４Ｃと貫通孔４１Ｄの側面４１Ｅとの間を空気が通過することを抑制できる。
【００２６】
さらに、第１面２４Ｃは、第２内壁面４１Ｃに当接していることが好ましい。そのために、第２内壁面４１Ｃは、面取りされていることが好ましい。なお、面取りはＣ面、Ｒ面のいずれでも構わない。そしてこの構成により、第１面２４Ｃと第２内壁面４１Ｃとの間の隙間を小さくできる。したがって、第１面２４Ｃと第２内壁面４１Ｃとの間を空気が通過することを抑制できる。
【００２７】
また、第２面２４Ｄは、底部４１Ａにおける貫通孔４１Ｄの側面４１Ｅに当接されていることが好ましい。この構成により、第２面２４Ｄと側面４１Ｅとの間の隙間を小さくできる。また、第１封止樹脂２５が、貫通孔４１Ｄをから箱体２２の内部に流れ込むことを抑制できる。したがって、第１面２４Ｃと貫通孔４１Ｄの側面４１Ｅとの間を空気が通過することを抑制できる。
【００２８】
ケーブル２４は、第１端部２４Ａに係止部２４Ｅを含むことが好ましい。なお、係止部２４Ｅは、第１端部２４Ａに形成した構成に限られず、第２端部２４Ｂに形成しても良い。さらに、係止部２４Ｅは、第１端部２４Ａと第２端部２４Ｂの双方に形成してもかまわない。この場合、箱体２２は、位置決め部２２Ｈを含んでいる。そして、位置決め部２２Ｈが、係止部２４Ｅに係合されることによって、ケーブル２４を所定の位置に保持できる。したがって、第１面２４Ｃを第２内壁面４１Ｃに沿わせて配置できる。また、第２面２４Ｄを貫通孔４１Ｄの側面４１Ｅに沿わせて配置できる。さらに、第１面２４Ｃが、第２内壁面４１Ｃに当接している状態を維持できる。さらにまた、第２面２４Ｄが、貫通孔４１Ｄの側面４１Ｅに当接している状態を維持できる。
【００２９】
位置決め部２２Ｈは、たとえば突起である。位置決め部２２Ｈは、箱体２２と一体に形成されていることが好ましい。この場合、係止部２４Ｅは、たとえば孔あるいは切り欠きである。なお、位置決め部２２Ｈは、箱体２２と一体に形成された構成に限られず、位置決め部２２Ｈと箱体２２とを別々に作成しても良い。さらに、位置決め部２２Ｈをかしめることによって、位置決め部２２Ｈでケーブル２４を保持する構成としても良い。あるいは、位置決め部２２Ｈを熱可塑性樹脂で作製し、位置決め部２２Ｈの一部を熱などで溶かして、ケーブル２４を保持する構成としても良い。
【００３０】
ケーブル２４は、箱体２２に固定されていることが好ましい。この構成により、ケーブル２４の第２端部２４Ｂを引っ張ってもケーブル２４が抜け落ちることを抑制できる。そのために、ケーブル２４と箱体２２の内面との間に粘着層あるいは接着層を設けることが好ましい。なお、ケーブル２４と箱体２２の内面とは、接着された構成に限られず、粘着層によって固定しても構わない。また、接着層あるいは粘着層は、ケーブル２４と箱体２２の外面の間に設けた構成に限られず、ケーブル２４と箱体２２の外面との間に設けても良い。
【産業上の利用可能性】
【００３１】
本発明にかかるラウドスピーカは、出力する音の歪みを小さくできるという効果を有し、各種の音響機器等に用いると有用である。
【符号の説明】
【００３２】
２１  ラウドスピーカ
２２  箱体
２２Ａ  前面ケース
２２Ｂ  背面ケース
２２Ｃ  溶着部
２２Ｄ  前面部
２２Ｅ  背面部
２２Ｆ  側面
２２Ｇ  放音孔
２２Ｈ  位置決め部
２３  スピーカユニット
２３Ａ  端子
２４  ケーブル
２４Ａ  第１端部
２４Ｂ  第２端部
２４Ｃ  第１面
２４Ｄ  第２面
２４Ｅ  係止部
２５  第１封止樹脂
２６  第２封止樹脂
４１  第１凹部
４１Ａ  底部
４１Ｂ  第１内壁面
４１Ｃ  第２内壁面
４１Ｄ  貫通孔
４１Ｅ  側面
５１  第２凹部
５１Ａ  第３内壁面
５１Ｂ  第２底部
【図１】
2016208284.tif 000003
【図２】
2016208284.tif 000004
【図３】
2016208284.tif 000005
【図４】
2016208284.tif 000006
【図５】
2016208284.tif 000007
【図６】
2016208284.tif 000008
【図７Ａ】
2016208284.tif 000009
【図７Ｂ】
2016208284.tif 000010
【図７Ｃ】
2016208284.tif 000011
【図８】
2016208284.tif 000012